(57)【特許請求の範囲】
【請求項１】
折り畳み状態となるように可動に結合された第１の筐体と第２の筐体と、
前記第１の筐体が有する面のうち前記折り畳み状態で前記第２の筐体と対向する面に設けられた第１のパネルと、
前記第１のパネルの前記第２の筐体と対向する面から突出するように前記第１のパネルに形成された第１の凸部と、
前記第１の筐体に設けられ前記第１の凸部を振動させる振動部と、
前記第２の筐体が有する面のうち前記折り畳み状態で前記第１の筐体に対向する面に設けられ、前記折り畳み状態で前記第１の凸部と当接し、前記第１の凸部から振動が伝達されて振動することにより音を発生する第２のパネルと、
前記第１の筐体が有する面のうち前記第１のパネルが設けられた面に設けられ、前記折り畳み状態で前記第２のパネルと当接し、前記第２のパネルの振動を前記第１の筐体に伝達する第２の凸部と、を備えることを特徴とする筐体のバイブレータ構造。
【請求項２】
前記第１の筐体及び第２の筐体を折り畳み自在に結合するヒンジ部を備えることを特徴とする請求項１に記載の筐体のバイブレータ構造。
【請求項３】
前記振動部は圧電素子により構成されていることを特徴とする請求項１または２に記載の筐体のバイブレータ構造。
【請求項４】
前記第２の凸部は筐体の周囲に設けられていることを特徴とする請求項１乃至３のいずれか一項に記載の筐体のバイブレータ構造。
【請求項５】
前記第２のパネルは表示パネルであり、
前記第１の筐体には操作部が設けられ、
この操作部が設けられた前記第１の筐体に、前記表示パネルの振動が前記第２の凸部により伝達されることを特徴とする請求項１乃至４のいずれか一項に記載の筐体のバイブレータ構造。
【請求項６】
請求項１乃至５のいずれか一項に記載のバイブレータ構造による筐体を備えることを特徴とする携帯電子機器。
【発明の詳細な説明】
【技術分野】
【０００１】
本発明は、筐体のパネルスピーカを利用したバイブレータ構造と、そのバイブレータ構造による筐体を備える携帯電子機器に関する。
【背景技術】
【０００２】
ストレート型の携帯電話において、その表示部両側に設けた複数のスピーカでバイブレータの機能を持たせ、バイブレータとスピーカを共用化したものがある（特許文献１参照）。
【特許文献１】特開２００６−１０８８７２号公報
【発明の開示】
【発明が解決しようとする課題】
【０００３】
特許文献１は、ストレート型の携帯電話しか考慮されておらず、折り畳みやスライドなど可動自在に筐体が結合された携帯電子機器ではバイブレータとスピーカを共用化することはできなかった。
【０００４】
本発明の課題は、可動自在に筐体が結合された携帯電子機器において、バイブレータとスピーカの共用化を実現することである。
【課題を解決するための手段】
【０００５】
以上の課題を解決するため、請求項１に記載の発明は、折り畳み状態となるように可動に結合された第１の筐体と第２の筐体と、前記第１の筐体が有する面のうち前記折り畳み状態で前記第２の筐体と対向する面に設けられた第１のパネルと、前記第１のパネルの前記第２の筐体と対向する面から突出するように前記第１のパネルに形成された第１の凸部と、前記第１の筐体に設けられ前記第１の凸部を振動させる振動部と、前記第２の筐体が有する面のうち前記折り畳み状態で前記第１の筐体に対向する面に設けられ、前記折り畳み状態で前記第１の凸部と当接し、前記第１の凸部から振動が伝達されて振動することにより音を発生する第２のパネルと、前記第１の筐体が有する面のうち前記第１のパネルが設けられた面に設けられ、前記折り畳み状態で前記第２のパネルと当接し、前記第２のパネルの振動を前記第１の筐体に伝達する第２の凸部と、を備える筐体のバイブレータ構造を特徴とする。
【０００６】
請求項２に記載の発明は、請求項１に記載の筐体のバイブレータ構造であって、前記第１の筐体及び第２の筐体を折り畳み自在に結合するヒンジ部を備えることを特徴とする。
【０００７】
請求項３に記載の発明は、請求項１または２に記載の筐体のバイブレータ構造であって、前記振動部は圧電素子により構成されていることを特徴とする。
【０００８】
請求項４に記載の発明は、請求項１乃至３のいずれか一項に記載の筐体のバイブレータ構造であって、前記第２の凸部は筐体の周囲に設けられていることを特徴とする。
【０００９】
請求項５に記載の発明は、請求項１乃至４のいずれか一項に記載の筐体のバイブレータ構造であって、前記第２のパネルは表示パネルであり、前記第１の筐体には操作部が設けられ、この操作部が設けられた前記第１の筐体に、前記表示パネルの振動が前記第２の凸部により伝達されることを特徴とする。
【００１０】
請求項６に記載の発明は、請求項１乃至５のいずれか一項に記載のバイブレータ構造による筐体を備える携帯電子機器を特徴とする。
【発明の効果】
【００１１】
本発明によれば、可動自在に筐体が結合された携帯電子機器にあってもスピーカの振動を筐体に伝達できるため、携帯電子機器において、バイブレータとスピーカとを共用化することができる。
【発明を実施するための最良の形態】
【００１２】
以下、図を参照して本発明を実施するための最良の形態を詳細に説明する。
（実施形態１）
図１から図３は本発明を適用した携帯電子機器の実施形態１の構成として折り畳み式携帯電話を示したもので、１は第１の筐体、２は第２の筐体、３は表示部、４は操作部、５はヒンジ部、６はパネルスピーカである。
【００１３】
第１の筐体は表示画面による表示部３を有する表示部筐体１であり、第２の筐体は各種操作キーによる操作部４を有する操作部筐体２であり、これら表示部筐体１及び操作部筐体２はヒンジ部５を介して折り畳み自在に結合されている。このヒンジ部５は、図示例では、表示部筐体１の一端部に設けたヒンジボス５１を操作部筐体２の一端部に設けたヒンジボス５２に不図示のヒンジ軸を介して結合し装着することで、折り畳み状態から図示のように縦（上下）に開放できるように構成されている。
【００１４】
パネルスピーカ６は、表示部３の表示パネル３１のヒンジ部５と反対側端部の内側面に貼り付けた圧電素子による振動部６１と、この振動部６１の振動に応じて音を発生する振動板としても機能する表示パネル３１とから構成されている。なお、この表示パネル３１は、その全周でラバーによるクッション材３２を介して表示部筐体１に組み付けることで、パネルスピーカ６の振動板として機能する。
【００１５】
以上によりパネルスピーカ６は、携帯電話に組み込まれたテレビ等のスピーカとして使用されるとともに、図１に示したように、携帯電話を縦に開いた状態で通話する際の報音部としても使用される。
【００１６】
また、操作部筐体２には、携帯電話の折り畳み状態において、表示部筐体１の表示パネル３１の全周囲に当接する一様な連続凸条による伝達部２１が形成されている。この伝達部２１は、図示例では、操作部筐体２に両面テープ４２で貼り付けた操作キーパネル４１を囲む形状となっている。なお、操作キーパネル４１のヒンジ部５と反対側端部には、図示しないが、集音孔が形成されて、その内側にマイクが設けられる。
【００１７】
携帯電話の折り畳み状態において、前述したパネルスピーカ６の振動は、その振動板を兼ねた表示パネル３１の全周囲に当接する伝達部２１を介して操作部筐体２に伝達される。従って、パネルスピーカ６は、電話やメールの着信を知らせるバイブレータとしても使用される。
【００１８】
以上、実施形態１の筐体のバイブレータ構造によれば、表示部筐体１に設けたパネルスピーカ６の振動を折り畳み時に操作部筐体２に伝達でき、すなわち、折り畳み式携帯電話において、バイブレータとスピーカとを共用化できる。従って、別途バイブレータを設けることなく、コストダウン、部品点数の削減、実装の省スペース化が図れる。
【００１９】
（実施形態２）
図４から図６は実施形態２の携帯電話を示したもので、前述した実施形態１と同様、１は第１の筐体、２は第２の筐体、２１は伝達部、３は表示部、３１は表示パネル、３２はクッション材、４は操作部、４１は操作キーパネル、４２は両面テープ、５はヒンジ部、５１・５２はヒンジボス、６はパネルスピーカ、６１は振動部である。
【００２０】
実施形態２は、パネルスピーカ６を、携帯電話の折り畳み状態において、操作部筐体２の操作キーパネル４１の内側面に設けた振動部６１と、振動板を兼ねる操作キーパネル４１と、その中央に設けた伝達部４１１と、これら操作キーパネル４１及びその伝達部４１１を介し前記振動部６１の振動に応じて音を発生する振動板としても機能する表示パネル３１とから構成している。
【００２１】
すなわち、図示のように、操作キーパネル４１のヒンジ部５と反対側端部の内側面に、圧電素子による振動部６１を貼り付けて、その振動板を兼ねた操作キーパネル４１の長手方向の中央を横断するように、携帯電話の折り畳み状態において、表示部筐体１の表示パネル３１の全周囲に当接する一様な連続凸条による伝達部４１１を形成している。そして、前述した実施形態１と同様に、操作部筐体２にも、携帯電話の折り畳み状態において、表示パネル３１の全周囲に当接する一様な連続凸条による伝達部２１を形成している。
【００２２】
以上の構成により、携帯電話の折り畳み状態において、操作部筐体２の操作キーパネル４１の内側面に設けた圧電素子による振動部６１の振動は、振動板を兼ねる操作キーパネル４１の中央の伝達部４１１に当接する、表示部筐体１の表示パネル３１に伝達されて、その振動に応じて音が発生する。つまり、パネルスピーカ６として機能する。
【００２３】
そして、パネルスピーカ６の振動は、前述した実施形態１と同様に、その振動板を兼ねた表示パネル３１の全周囲に当接する伝達部２１を介して操作部筐体２に伝達される。従って、パネルスピーカ６は、電話やメールの着信を知らせるバイブレータとしても使用される。
なお、振動部６１の振動を操作キーパネル４１に伝達させることによって、操作キーパネル４１から音を発生させるようにしてもよい。
【００２４】
以上、実施形態２の筐体のバイブレータ構造によっても、前述した実施形態１と同様の作用効果が得られる。
【００２５】
（変形例）
なお、以上の各実施形態においては、ヒンジ部で縦に表示部筐体を開放するものとしたが、それ以外に、横に表示部筐体を開放してブックスタイルとするものであっても良い。
また、表示部筐体と操作部筐体とが相対的にスライド移動するものであってもよい。
そして、実施形態では、携帯電話としたが、本発明はこれに限定されるものではなく、デジタルカメラ、ビデオカメラ、ＰＤＡ、ノートパソコン、ウェアラブルパソコン、電卓、電子辞書などや、他にもバイブレータとスピーカを必要とする折り畳み式の携帯電子機器であればすべてに用いることができる。
さらに、スピーカを有する筐体は、そのスピーカでは振動させずに、スピーカでは他方の筐体を振動させ、その振動が伝達された他方の筐体からスピーカを有する筐体に振動を伝達させてフィードバックさせるようにしても良い。
【００２６】
また、振動部は複数有っても良い。さらに、伝達部は全周に設けられていなくとも良く、一部分、あるいは所定部分に設けられていても良い。また、筐体内部にスピーカを設けて音を導出する導出部材を用いて音を導くものであってもよい。
また、伝達部の形状等も任意であり、その他、具体的な細部構造等についても適宜に変更可能であることは勿論である。
【図面の簡単な説明】
【００２７】
【図１】本発明を適用した折り畳み式携帯電子機器の実施形態１の構成を示すもので、携帯電話を開いた状態を示した概略斜視図である。
【図２】図１の携帯電話の折り畳んだ状態に対応した構成部品の分解斜視図である。
【図３】図１の携帯電話の折り畳んだ状態での要部の拡大縦断面図である。
【図４】実施形態２の構成を示すもので、携帯電話を開いた状態を示した概略斜視図である。
【図５】図４の携帯電話の折り畳んだ状態に対応した構成部品の分解斜視図である。
【図６】図４の携帯電話の折り畳んだ状態での要部の拡大縦断面図である。
【符号の説明】
【００２８】
１  第１の筐体
２  第２の筐体
２１  伝達部
３  表示部
３１  表示パネル（振動板）
３２  クッション材
４  操作部
４１  操作キーパネル
４１１  伝達部
４２  両面テープ
５  ヒンジ部
６  スピーカ
６１  振動部
【図１】
0004882113.tif 000002
【図２】
0004882113.tif 000003
【図３】
0004882113.tif 000004
【図４】
0004882113.tif 000005
【図５】
0004882113.tif 000006
【図６】
0004882113.tif 000007